(57)【要約】【課題】印刷に最適なプリンタドライバＵＩの設定を行なうシステムに関する。【解決手段】メディア名称、及びそのメディアに最適な既存ドライバ設定へのマッピング情報（メディアタイプ、品位、給紙方法、ハーフトーン、インク設定など）からなるダウンロード／インストール可能なメディアデータ１００と、ダウンロードしたメディアデータ１００を読み込み、プリンタドライバＵＩのメディア一覧１０３にそのメディア名称を追加、そのメディアが選択された時、メディアデータ１００に記述されたマッピング情報に従って既存ドライバ設定へマッピングする機能を有したドライバと、からなる印刷メディアの簡単設定方法。【選択図】        図１
2004310332.tif 000002
【特許請求の範囲】
【請求項１】
メディア名称、及びそのメディアに最適な既存プリンタドライバ設定へのマッピング情報（メディアタイプ、品位、給紙方法、ハーフトーン、インク設定など）からなるダウンロード／インストール可能なメディアデータと、
ダウンロードしたメディアデータを読み込み、プリンタドライバのユーザインターフェースのメディア一覧にそのメディア名称を追加、そのメディアが選択された時、メディアデータに記述されたマッピング情報に従って既存ドライバ設定へマッピングする機能を有したドライバと、からなる印刷メディアの簡単設定方法。
【請求項２】
メディアデータは、メディア名称、既存ドライバ設定へのマッピング情報、から構成されることを特徴とした、請求項１記載の印刷メディアの簡単設定方法。
【請求項３】
ドライバのユーザインターフェースにてメディアを選択したら、そのメディアに対応したメディアデータからマッピング情報を読み込んで、既存ドライバ設定へのマッピングを行うことを特徴とした、請求項１記載の印刷メディアの簡単設定方法。
【発明の詳細な説明】
【０００１】
【発明の属する技術分野】
本発明は、印刷に最適なプリンタドライバのユーザインターフェースの設定を行うシステムにおける印刷メディアの簡単設定方法に関する。
【０００２】
【従来の技術】
Ｗｉｎｄｏｗｓ（Ｒ）などのオペレーティングシステムと、そのオペレーティングシステム上で動作するプリンタドライバと、インクジェットプリンタなどの印刷装置から構成される印刷システムにおいて、ユーザがある印刷メディアに対して印刷を行う場合、最適な印刷結果を得るためには、プリンタドライバのユーザインターフェースを開いて印刷メディアに適したプリンタドライバ設定をする必要がある。
【０００３】
印刷メディアに適したプリンタドライバ設定には、メディアに対応した色処理、ハーフトーンや印刷品位の選択などが挙げられる。
【０００４】
レギュラーインクカートリッジ、フォトインクカートリッジなどの複数の印刷カートリッジが搭載可能な印刷装置の場合には、印刷メディアに最適な印刷カートリッジの選択というのも含まれる。
【０００５】
また印刷メディアを確実に印刷装置に給紙するために、給紙方法や給紙シーケンスを選択しなければならない。
【０００６】
給紙方法の選択とは、印刷装置が持っている複数の給紙方法（オートシートフィーダ、カセット給紙、手差し給紙など）のうちどれを使うのかを選ぶことを意味する。
【０００７】
給紙シーケンスの選択とは、印刷メディア毎に紙の特性が異なるため、同じオートシートフィーダから給紙する場合でも、どのくらい給紙モータを回転させるか？給紙に失敗した場合何回リトライするか？といったシーケンスが異なるので、印刷メディア毎に最適な給紙シーケンスを選択する必要がある。
【０００８】
メーカ純正の印刷メディアを使う場合、印刷メディアに適したプリンタドライバ設定を行うためには、ユーザはプリンタドライバのユーザインターフェースを開き、印刷メディア設定一覧の中から対応する印刷メディアを選択するだけでよい。
【０００９】
プリンタドライバは、選択された印刷メディアに最適な印刷設定の情報を持っているので、選択された印刷メディアに連動して上記の色処理、ハーフトーン、印刷品位、印刷カートリッジ、給紙方法、給紙シーケンスなどのプリンタドライバ設定を行う。
【００１０】
【発明が解決しようとする課題】
しかし、メーカ純正以外のサードパーティの印刷メディアを使う場合、例えば、同じ「光沢紙」であっても紙の特性が異なるため、メーカ純正印刷メディアと同じプリンタドライバ設定が最適とは限らない。
【００１１】
またメーカ純正の印刷メディアでも製品の切り替えで、例えば、新しい「光沢紙」が発売され、今までの「光沢紙」と紙の特性が異なる場合が考えられる。
【００１２】
この場合、今まで最適だったプリンタドライバ設定が、最適でなくなることが考えられる。
【００１３】
このような場合、ユーザは印刷メディアの説明書などを見ながら、自分で最適なプリンタドライバ設定をする必要がある。例えば、新しい「光沢紙」に最適な設定をするためには、プリンタドライバのユーザインターフェースを開いて印刷メディア設定一覧から「高品位紙」を選択して、（そのままでは品位が適切でないので）品位は、品位１を選択して、といった具合である。場合によっては、プリンタドライバのユーザインターフェースの深い階層の設定を変更する必要があり、非常に不便である。
【００１４】
本発明はこの問題を解決するために、オペレーティングシステムにインストール可能なメディアデータと、メディアデータ内に保持された最適な設定のマッピング情報、メディアデータを読み込むプリンタドライバから構成される、ユーザが簡単に印刷メディアに最適なプリンタドライバ設定を行うことを可能にする、印刷メディアの簡単設定方法を提供するものである。
【００１５】
【課題を解決するための手段】
本発明は、上記課題を解決するために以下（１）〜（３）の構成を備える。
【００１６】
（１）メディア名称、及びそのメディアに最適な既存プリンタドライバ設定へのマッピング情報（メディアタイプ、品位、給紙方法、ハーフトーン、インク設定など）からなるダウンロード／インストール可能なメディアデータと、
ダウンロードしたメディアデータを読み込み、プリンタドライバのユーザインターフェースのメディア一覧にそのメディア名称を追加、そのメディアが選択された時、メディアデータに記述されたマッピング情報に従って既存ドライバ設定へマッピングする機能を有したドライバと、からなる印刷メディアの簡単設定方法。
【００１７】
（２）メディアデータは、メディア名称、既存ドライバ設定へのマッピング情報、から構成されることを特徴とした、上記（１）記載の印刷メディアの簡単設定方法。
【００１８】
（３）ドライバのユーザインターフェースにてメディアを選択したら、そのメディアに対応したメディアデータからマッピング情報を読み込んで、既存ドライバ設定へのマッピングを行うことを特徴とした、上記（１）記載の印刷メディアの簡単設定方法。
【００１９】
【発明の実施の形態】
以下に本発明の実施の形態を、実施例に基づいて図面を参照しながら説明する。なお、図１は本発明の全体のイメージ図である。
【００２０】
また、図２はメディアデータのフォーマットを示す。図２において、メディア名称は、そのメディアを表す文字列。メディアタイプは、そのメディアが選択された時にプリンタドライバが実際にどの既存のメディアタイプを内部で選択するかというマッピング情報。品位は、そのメディアが選択された時にプリンタドライバが実際にどの既存の品位を内部で選択するかというマッピング情報。給紙方法は、そのメディアが選択された時にプリンタドライバが実際にどの既存の給紙方法を内部で選択するかというマッピング情報。ハーフトーンは、そのメディアが選択された時にプリンタドライバが実際にどの既存のハーフトーンを内部で選択するかというマッピング情報。インクは、そのメディアが選択された時にプリンタドライバが実際にどの既存のインクの種類を内部で選択するかというマッピング情報。第３列（例の欄）に具体的な例を挙げてある。このメディアの場合、名称は「○×紙」。この用紙が選択された時には、プリンタドライバ内部では第３列（例の欄）に記述された設定が選択される。
【００２１】
図３は、プリンタドライバの既存設定の例を示す。メディアデータのマッピング情報により、メディアが選択されたとき、プリンタドライバ内部ではこのいずれかの項目にマッピングされる。
【００２２】
図４は、プリンタドライバ既存設定へのマッピング方法のフローチャートであって、この手順に従い、マッピング情報を使用してプリンタドライバ既存設定へのマッピングを行う。
【００２３】
【実施例】
１．プリンタメーカ、サードパーティメーカが、プリンタドライバのユーザインターフェースのメディア一覧に存在しないメディア、“○×紙”を発売。そのメディアのメディアデータ１００を、フロッピィ−ディスクもしくはＷＷＷサーバ１０１からのダウンロードでユーザに配布。
【００２４】
２．メディアデータ１００には、そのメディアの名称“○×紙”、既存プリンタドライバ設定へのマッピング情報が格納されている。
【００２５】
３．既存プリンタドライバ設定へのマッピング情報とは、図２のフォーマットで定義されている。プリンタドライバは、図３の既存の設定を持っている。マッピング情報とは、印刷メディアに最適な設定が既存プリンタドライバ設定のどれに相当するかを示すものである。メディアデータ１００は、図２の第３列（例の欄）に示すマッピング情報を持っている。既存プリンタドライバ設定を第３列で示すように設定すると、“○×紙”に最適なプリンタドライバ設定になる。
【００２６】
４．ユーザは、ＣＤ−ＲＯＭ／ＷＷＷサーバ１０１からのダウンロードなどの手段でメディアデータ１００を入手し、ＰＣ１０４にインストールする。メディアデータ１００はＰＣ１０４のハードディスクの予め決められた場所に格納される。
【００２７】
５．ユーザがプリンタドライバのユーザインターフェースを開いたとき、プリンタドライバ１０２は追加されたメディアデータ１００がないかどうかを検索。存在した場合、メディアデータ１００から名称を取得し、メディア一覧１０３に追加する。
【００２８】
６．これで、“○×紙”がメディア一覧１０３に表示されるようになる。
【００２９】
７．ユーザがプリンタドライバのユーザインターフェースで“○×紙”を選択した場合、図４のフローチャートに従い、プリンタドライバはメディアデータ１００からマッピング情報を取得して、プリンタドライバ設定を行う。
【００３０】
【発明の効果】
・本発明によれば、必要に応じてプリンタドライバのユーザインターフェースのメディア一覧に新しいメディア名称を追加できる。
【００３１】
・本発明によれば、ユーザは新しいメディアに最適な設定をプリンタドライバのユーザインターフェース上で直感的に選択できる。
【００３２】
・本発明によれば、新しいメディアに対応するためにプリンタドライバ全体をバージョンアップする必要はなく、メディアデータだけを作成すればよい。
【図面の簡単な説明】
【図１】本発明の全体のイメージ図
【図２】メディアデータのフォーマットを示す図
【図３】プリンタドライバの既存設定の例を示す図
【図４】プリンタドライバ既存設定へのマッピング方法のフローチャート
【符号の説明】
１００  メディアデータ
１０１  フロッピィ−ディスクもしくはＷＷＷサーバ
１０２  プリンタドライバ
１０３  メディア一覧
１０４  ＰＣ
【図１】
2004310332.tif 000003
【図２】
2004310332.tif 000004
【図３】
2004310332.tif 000005
【図４】
2004310332.tif 000006